(57)【要約】【課題】傘に、閉じた状態の傘に巻き付けられてこの傘の傘布の広がりを抑止するバンド体を、傘を開いた状態において、傘の外観を損なわず、しかも、邪魔にならないように、備えさせる。【解決手段】閉じた傘に巻き付けられてこの傘の傘布５の広がりを抑止するバンド体１を備えている。前記バンド体１は、バンド一端１ａを前記傘布５に止着させ、バンド他端１ｂに係合要素２を備えると共に、前記バンド一端１ａ側に前記係合要素２に対する第一被係合要素３を備えている。さらに、前記傘布５に、前記係合要素２に対する第二被係合要素４を、前記傘の中棒６を巡る方向において前記バンド体１の前記バンド一端１ａとの間に前記バンド体１の全長と実質的に等しい距離ｘを開けて、備えさせている。【選択図】図３
2016073468.tif 000002
【特許請求の範囲】
【請求項１】
閉じた傘に巻き付けられてこの傘の傘布の広がりを抑止するバンド体を備えており、
前記バンド体は、バンド一端を前記傘布に止着させ、バンド他端に係合要素を備えると共に、前記バンド一端側に前記係合要素に対する第一被係合要素を備えており、
さらに、前記傘布に、前記係合要素に対する第二被係合要素を、前記傘の中棒を巡る方向において前記バンド体の前記バンド一端との間に前記バンド体の全長と実質的に等しい距離を開けて、備えさせてなる、傘。
【請求項２】
前記傘を構成する親骨が折れ曲がる折り畳み構造となっていると共に、前記傘布における前記傘を開いた状態で裏となる側であって前記親骨の先端とこの先端側に位置される前記親骨の折れ曲がり箇所との間に位置される範囲内に、前記バンド体と前記第二被係合要素とを備えさせてなる、請求項１に記載の傘。
【請求項３】
前記係合要素を前記バンド体の一面側に設けられた雌雄をなす面状ファスナーの一方により構成させ、前記第一被係合要素を前記バンド体の他面側に設けられた雌雄をなす面状ファスナーの他方により構成させ、前記第二被係合要素を前記傘布に設けられた雌雄をなす面状ファスナーの他方により構成させてなる、請求項１又は請求項２に記載の傘。
【発明の詳細な説明】
【技術分野】
【０００１】
この発明は、閉じた状態の傘に巻き付けられてこの傘の傘布の広がりを抑止するバンド体を、傘を開いた状態において、傘の外観を損なわず、しかも、邪魔にならない態様で保持する構造を備えた傘に関する。
【背景技術】
【０００２】
傘には、多くの場合、閉じた状態の傘に巻き付けられてこの傘の傘布の広がりを抑止するバンド体が備えられている。このバンド体は、傘の使用状態においては、垂れ下がるため、目立たないように、あるいは、邪魔にならないように、特許文献１に示されるように、細幅の帯状に構成されることがほとんどである。
【先行技術文献】
【特許文献】
【０００３】
【特許文献１】実開平３−２９０１０号公報
【発明の概要】
【発明が解決しようとする課題】
【０００４】
この発明が解決しようとする主たる問題点は、傘に、閉じた状態の傘に巻き付けられてこの傘の傘布の広がりを抑止するバンド体を、傘を開いた状態において、傘の外観を損なわず、しかも、邪魔にならないように、備えさせる点にある。
【課題を解決するための手段】
【０００５】
前記課題を達成するために、この発明にあっては、傘を、閉じた傘に巻き付けられてこの傘の傘布の広がりを抑止するバンド体を備えており、
前記バンド体は、バンド一端を前記傘布に止着させ、バンド他端に係合要素を備えると共に、前記バンド一端側に前記係合要素に対する第一被係合要素を備えており、
さらに、前記傘布に、前記係合要素に対する第二被係合要素を、前記傘の中棒を巡る方向において前記バンド体の前記バンド一端との間に前記バンド体の全長と実質的に等しい距離を開けて、備えさせてなる、ものとした。
【０００６】
かかる傘にあっては、第一に、閉じた傘に前記バンド体を巻き付けた状態を、前記係合要素と第一被係合要素との係合によって、安定的に維持することができる。また、第二に、傘を開いた状態において、前記係合要素と第二被係合要素との係合によって、前記バンド体のバンド他端を傘布に固定することができ、傘を開いて使用するときに前記バンド体が傘の外観を損なうことがなく、また、使用上邪魔にならないようにすることができる。
【０００７】
前記傘を構成する親骨が折れ曲がる折り畳み構造となっていると共に、前記傘布における前記傘を開いた状態で裏となる側であって前記親骨の先端とこの先端側に位置される前記親骨の折れ曲がり箇所との間に位置される範囲内に、前記バンド体と前記第二被係合要素とを備えさせておくことが、この発明の好ましい態様の一つとされる。
【０００８】
このようにすれば、傘を開いた状態において表となる側に、前記第二被係合要素は露呈せず、また、この第二被係合要素に係合要素を係合させている状態ではバンド体も露呈しないようにできる。また、傘を折り畳んだ状態において、バンド体及び第二被係合要素は、外側に位置され、折り畳まれた傘の主要部にバンド体を巻き付けると係合要素の第二被係合要素への係合が可能となり、これを係合させることで、傘の折り畳み状態を保持すると共に傘布の広がりを抑止することができる。
【０００９】
また、前記係合要素を前記バンド体の一面側に設けられた雌雄をなす面状ファスナーの一方により構成させ、前記第一被係合要素を前記バンド体の他面側に設けられた雌雄をなす面状ファスナーの他方により構成させ、前記第二被係合要素を前記傘布に設けられた雌雄をなす面状ファスナーの他方により構成させることが、この発明の好ましい態様の一つとされる。
【発明の効果】
【００１０】
この発明によれば、傘に、閉じた状態の傘に巻き付けられてこの傘の傘布の広がりを抑止するバンド体を、傘を開いた状態において、傘の外観を損なわず、しかも、邪魔にならないように、備えさせることができる。したがって、前記バンド体を、比較的幅広の帯状とするなど、目立つような構成にすることも可能となる。
【図面の簡単な説明】
【００１１】
【図１】図１は、この発明の一実施の形態にかかる傘を開いた状態において下方から見て示した斜視構成図である。
【図２】図２は、開いた状態の前記傘の底面構成図である。
【図３】図３は、図２におけるＡ−Ａ線位置での断面図であり、想像線は係合要素と第二被係合要素との係合を解いたときのバンド体を示している。
【図４】図４は、折り畳んだ状態の前記傘の側面構成図であり、バンド体を巻き付けていない状態を示している。
【図５】図５は、図４の状態からバンド体を巻き付け傘布を纏めきった状態の傘の側面構成図であり、係合要素と第一被係合要素とを係合させる直前の状態を示している。
【発明を実施するための形態】
【００１２】
以下、図１〜図５に基づいて、この発明の典型的な実施の形態について、説明する。この実施の形態にかかる傘は、閉じた状態の傘に巻き付けられてこの傘の傘布５の広がりを抑止するバンド体１を、傘を開いた状態において、傘の外観を損なわず、しかも、邪魔にならない態様で保持する構造を、備えたものとなっている。
【００１３】
前記バンド体１は、バンド一端１ａを前記傘布５に止着させ、バンド他端１ｂに係合要素２を備えると共に、前記バンド一端１ａ側に前記係合要素２に対する第一被係合要素３を備えている。それと共に、前記傘布５に、前記係合要素２に対する第二被係合要素４を、前記傘の中棒６を巡る方向において前記バンド体１の前記バンド一端１ａとの間に前記バンド体１の全長と実質的に等しい距離ｘを開けて、備えさせている。
【００１４】
これにより、この実施の形態にかかる傘にあっては、第一に、閉じた傘に前記バンド体１を巻き付けた状態を、前記係合要素２と第一被係合要素３との係合によって、安定的に維持することができる。また、第二に、傘を開いた状態において、前記係合要素２と第二被係合要素４との係合によって、前記バンド体１のバンド他端１ｂを傘布５に固定することができ、傘を開いて使用するときに前記バンド体１が傘の外観を損なうことがなく、また、使用上邪魔にならないようにすることができる。
【００１５】
前記第二被係合要素４と前記バンド体１の前記バンド一端１ａとの間の距離ｘは、前記バンド体１の係合要素２を第二被係合要素４に係合させることが可能であり、かつ、この係合時に開いた傘の傘布５の裏側にバンド体１がたるみなく、あるいは、たるみ少なく、位置づけられる距離であれば足りる。
【００１６】
図示の例では、傘は、これを構成する全ての親骨７…７が折れ曲がると共に、前記中棒６を縮めることができる折り畳み構造となっている。すなわち、図示の例の傘は、折り畳み傘となっている。図示の例では、前記親骨７は、傘の石突き側８と、親骨７の先端７ａ側（傘布５の縁側５ｂ）との二箇所において折れ曲がるようになっている。
【００１７】
前記傘の石突き側８に位置される親骨７の折れ曲がり箇所（以下、第一折れ曲がり箇所７ｂと称する。）は、前記石突き側８を屈曲外側とするように折れ曲がるようになっている。一方、前記親骨７の先端７ａ側に位置される親骨７の折れ曲がり箇所（以下、第二折れ曲がり箇所７ｃと称する。）は、前記石突き側８を屈曲内側とするように折れ曲がるようになっている。
【００１８】
したがって、図示の例では、前記傘布５における前記傘を開いた状態で裏となる側５ａであって前記親骨７の先端７ａと前記第二折れ曲がり箇所７ｃとの間に位置される範囲９（図２における仮想円ｒの外側）は、傘を折り畳んだ状態では外側に位置される（図４）。
【００１９】
そして、図示の例では、前記傘布５における前記傘を開いた状態で裏となる側５ａであって前記範囲９内に、前記バンド体１と前記第二被係合要素４とを備えさせている。
【００２０】
これにより、傘を開いた状態において表となる側に、前記第二被係合要素４は露呈せず、また、この第二被係合要素４に係合要素２を係合させている状態ではバンド体１も露呈しないようになっている。
【００２１】
また、図示の例では、前記バンド体１は、比較的幅広の帯状を呈している。図示の例では、かかるバンド体１のバンド一端１ａは、傘布５に縫着されている。かかるバンド体１のバンド一端１ａは、開いたときの傘布５の傾斜に倣った斜めの縁部となっており、この縁部において傘布５に縫着されている。傘を開いた状態において、前記係合要素２を前記第二被係合要素４に係合させない状態において、バンド体１は傘布５の裏側から垂れ下がるが、その一面１ｃ及び他面１ｄは前記中棒６を巡る方向に直交する向きに位置される。
【００２２】
また、図示の例では、バンド体１及び第二被係合要素４は、前記係合要素２を第二被係合要素４に係合させた状態において、バンド体１の長さ方向に沿った縁の一方が傘布５の縁に実質的に沿うように、この傘布５の縁部に備えられている（図１）。
【００２３】
それと共に、図示の例では、前記係合要素２を前記バンド体１の一面１ｃ側に設けられた雌雄をなす面状ファスナーの一方により構成させ、前記第一被係合要素３を前記バンド体１の他面１ｄ側に設けられた雌雄をなす面状ファスナーの他方により構成させ、前記第二被係合要素４を前記傘布５に設けられた雌雄をなす面状ファスナーの他方により構成させている。すなわち、前記係合要素２を面状ファスナーの雄によって構成するときは、前記第一被係合要素３及び第二被係合要素４は面状ファスナーの雌によって構成し、前記係合要素２を面状ファスナーの雌によって構成するときは、前記第一被係合要素３及び第二被係合要素４は面状ファスナーの雄によって構成する。係合要素２は、少なくともバンド体１のバンド他端１ｂに備えられていれば良く、バンド体１の一面１ｃの全体が係合要素２によって構成されていても構わない。したがってまた、第一被係合要素３は、少なくともバンド体１のバンド一端１ａに備えられていれば良く、バンド体１の他面１ｄの全体が第一被係合要素３によって構成されていても構わない。
【００２４】
バンド体１の係合要素２と傘布５に前記のように備えられた第二被係合要素４とを係合させた状態において、バンド体１の一面は傘布５の裏面に添装され、傘を開いた状態において傘布５の裏側５ａからバンド体１は垂れ下がらない（図１〜図３）。
【００２５】
傘を折り畳んだ状態において、バンド体１及び第二被係合要素４は、外側に位置され、バンド体１の一面を中棒６側に向ける向きで折り畳まれた傘の主要部にバンド体１を巻き付けると係合要素２の第二被係合要素４への係合が可能となり、これを係合させることで、傘の折り畳み状態を保持すると共に傘布５の広がりを抑止するようになっている（図４から図５）。
【００２６】
図示の例では、バンド体１は、傘を開いた状態における隣り合う親骨７の略中間に位置される箇所において、傘布５にバンド一端１ａを縫着させている。
【００２７】
前記係合要素２、第一被係合要素３、及び第二被係合要素４は、バンド体１の他端を傘布５側に分離可能に仮止めできる構成のものであれば、前記面状ファスナーに代替可能である。例えば、前記係合要素２、第一被係合要素３、及び第二被係合要素４は、スナップボタン、ボタン、ホックなどによって構成可能である。
【００２８】
なお、当然のことながら、本発明は以上に説明した実施態様に限定されるものではなく、本発明の目的を達成し得るすべての実施態様を含むものである。
【符号の説明】
【００２９】
１  バンド体
１ａ  バンド一端
１ｂ  バンド他端
２  係合要素
３  第一被係合要素
４  第二被係合要素
５  傘布
６  中棒
ｘ  距離
【図１】
2016073468.tif 000003
【図２】
2016073468.tif 000004
【図３】
2016073468.tif 000005
【図４】
2016073468.tif 000006
【図５】
2016073468.tif 000007